(57)【要約】【課題】電話機のみを使用してＳＩＰサーバを選択する。【解決手段】ＩＰ電話対応端末１１は、インターネット１３と通常の電話機１０との間に接続されるとともに、インターネット１３側の登録されたＳＩＰサーバ（図示せず）に電話機１１を接続するものである。そして、ＩＰ電話対応端末１１は、複数のＳＩＰサーバに関する情報を予め記憶しておく機能と、記憶された複数のＳＩＰサーバの中からいずれかをユーザが選択するコマンドを電話機１０から入力する機能と、ユーザによって選択されたＳＩＰサーバをコマンドに基づき登録する機能とを備えている。【選択図】        図１
2004222147.tif 000002
【特許請求の範囲】
【請求項１】
通信ネットワークと通常の電話機との間に接続されるとともに、前記通信ネットワーク側の登録されたＳＩＰサーバに前記電話機を接続する、ＩＰ電話の通信制御装置であって、
複数のＳＩＰサーバに関する情報を予め記憶しておく機能と、記憶された前記複数のＳＩＰサーバの中からいずれかをユーザが選択するコマンドを前記電話機から入力する機能と、ユーザによって選択された前記ＳＩＰサーバを前記コマンドに基づき登録する機能と、
を備えたことを特徴とするＩＰ電話の通信制御装置。
【請求項２】
前記電話機に接続するための電話機インターフェイス部と、
パーソナルコンピュータに接続するためのＬＡＮインターフェイス部と、
前記通信ネットワークに接続するためのＷＡＮ側ＬＡＮインターフェイス部と、
前記電話機からの前記コマンドを前記電話機インターフェイス部を介して入力するコマンド検出部と、
前記パーソナルコンピュータからの前記複数のＳＩＰサーバに関する情報を前記ＬＡＮインターフェイス部を介して入力して記憶するＳＩＰサーバ記憶部と、前記電話機インターフェイス部、前記ＬＡＮインターフェイス部、前記ＷＡＮ側ＬＡＮインターフェイス部、前記コマンド検出部及び前記ＳＩＰサーバ記憶部を制御するとともに、前記ユーザによって選択されたＳＩＰサーバを前記コマンドに基づき前記ＷＡＮ側ＬＡＮインターフェイス部を介して登録する制御部と、
を備えた請求項１記載のＩＰ電話の通信制御装置。
【請求項３】
前記制御部によって制御されるとともに、前記電話機の操作に応じて当該電話機へ確認音を送出する確認音源送出部を、
更に備えた請求項２記載のＩＰ電話の通信制御装置。
【請求項４】
ＩＥＴＦ標準の文書番号ＲＦＣ２５４３の規定に従って前記ＳＩＰサーバを登録する、
請求項１乃至３のいずれかに記載のＩＰ電話の通信制御装置。
【請求項５】
前記コマンドがダイヤルパルス、ＭＦ信号又はフック情報からなる、
請求項１乃至４のいずれかに記載のＩＰ電話の通信制御装置。
【請求項６】
前記通信ネットワークがＣＡＴＶやＡＤＳＬ等のブロードバンドネットワークである、
請求項１乃至５のいずれかに記載のＩＰ電話の通信制御装置。
【請求項７】
通信ネットワークと通常の電話機との間に接続されるとともに、前記通信ネットワーク側の登録されたＳＩＰサーバに前記電話機を接続する、ＩＰ電話の通信制御方法であって、
複数のＳＩＰサーバに関する情報を予め記憶しておくＳＩＰサーバ記憶ステップと、記憶された前記複数のＳＩＰサーバの中からいずれかをユーザが選択するコマンドを前記電話機から入力するコマンド入力ステップと、ユーザによって選択された前記ＳＩＰサーバを前記コマンドに基づき登録するＳＩＰサーバ登録ステップと、
を備えたことを特徴とするＩＰ電話の通信制御方法。
【請求項８】
前記ＳＩＰサーバ記憶ステップでは、前記複数のＳＩＰサーバに関する情報をパーソナルコンピュータから入力して記憶する、
請求項７記載のＩＰ電話の通信制御方法。
【請求項９】
前記ＳＩＰサーバ登録ステップでは、ＩＥＴＦ標準の文書番号ＲＦＣ２５４３の規定に従って前記ＳＩＰサーバを登録する、
請求項７又は８記載のＩＰ電話の通信制御方法。
【請求項１０】
前記コマンドがダイヤルパルス、ＭＦ信号又はフック情報からなる、
請求項７乃至９のいずれかに記載のＩＰ電話の通信制御方法。
【請求項１１】
通信ネットワークと通常の電話機との間に接続されるとともにコンピュータを有するＩＰ電話の通信制御装置に用いられ、前記通信ネットワーク側の登録されたＳＩＰサーバに前記電話機を接続するための通信制御プログラムであって、
複数のＳＩＰサーバに関する情報を予め記憶しておくＳＩＰサーバ記憶ステップと、記憶された前記複数のＳＩＰサーバの中からいずれかをユーザが選択するコマンドを前記電話機から入力するコマンド入力ステップと、ユーザによって選択された前記ＳＩＰサーバを前記コマンドに基づき登録するＳＩＰサーバ登録ステップと、
を前記コンピュータに実行させることを特徴とする通信制御プログラム。
【請求項１２】
前記ＳＩＰサーバ記憶ステップでは、前記複数のＳＩＰサーバに関する情報をパーソナルコンピュータから入力して記憶する、
請求項１１記載の通信制御プログラム。
【請求項１３】
前記ＳＩＰサーバ登録ステップでは、ＩＥＴＦ標準の文書番号ＲＦＣ２５４３の規定に従って前記ＳＩＰサーバを登録する、
請求項１１又は１２記載の通信制御プログラム。
【請求項１４】
前記コマンドがダイヤルパルス、ＭＦ信号又はフック情報からなる、
請求項１１乃至１３のいずれかに記載の通信制御プログラム。
【発明の詳細な説明】
【０００１】
【発明の属する技術分野】
本発明は、ＩＰ電話（ｉｎｔｅｒｎｅｔ  ｐｒｏｔｏｃｏｌ）の通信制御装置及び方法並びに通信制御プログラムに関する。ＩＰ電話とは、ＶｏＩＰ（ｖｏｉｃｅ  ｏｖｅｒ  ＩＰ）技術を使った通話システムやサービス提供システムをいう。ＳＩＰ（ｓｅｓｓｉｏｎ  ｉｎｉｔｉａｔｉｏｎ  ｐｒｏｔｏｃｏｌ）とは、一般の電話サービスが持つ呼の制御を行うことによりＩＰネットワークでＩＰ電話を実現するためのプロトコルをいい、着信課金機能、転送機能、発信者番号通知機能などの各種の機能が備えられている。また、ＳＩＰはＩＥＴＦ（Ｉｎｔｅｒｎｅｔ  Ｅｎｇｉｎｅｅｒｉｎｇ  Ｔａｓｋ  Ｆｏｒｃｅ）標準であり、その文書番号はＲＦＣ２５４３である。
【０００２】
【従来の技術】
従来、電話機が接続されるＳＩＰサーバ（すなわちサービス事業者）は、予め登録しておくものであり、しかもその数が一つに限られている。ＳＩＰサーバの登録は、ＩＥＴＦ標準の文書番号ＲＦＣ２５４３の規定に従って行われる。また、下記特許文献１に記載された技術では、サービス事業者から受けるサービスを、ウェブ画面に表示されたサービス・メニューの中からユーザが任意に設定できるようになっている。
【０００３】
【特許文献１】
特表２０００−５１１０１３号公報
【０００４】
【発明が解決しようとする課題】
ＳＩＰサーバは、必要に応じて登録し直すことができる。このとき、パーソナルコンピュータを用いて登録を変更しなければならない。しかし、電話機だけを使用する際に、いちいちパーソナルコンピュータを起動してコマンドを操作することは、非常に手間のかかる作業である。
【０００５】
【発明の目的】
そこで、本発明の目的は、電話機のみを使用してＳＩＰサーバを選択できる、ＩＰ電話の通信制御装置等を提供することにある。
【０００６】
【課題を解決するための手段】
本発明に係るＩＰ電話の通信制御装置は、通信ネットワークと通常の電話機との間に接続されるとともに、通信ネットワーク側の登録されたＳＩＰサーバに電話機を接続するものである。そして、複数のＳＩＰサーバに関する情報を予め記憶しておく機能と、記憶された複数のＳＩＰサーバの中からいずれかをユーザが選択するコマンドを電話機から入力する機能と、ユーザによって選択されたＳＩＰサーバを前記コマンドに基づき登録する機能とを備えている（請求項１）。これらの機能は、ソフトウェア及びハードウェアの少なくとも一方によって、実現することができる。
【０００７】
まず、複数のＳＩＰサーバに関する情報を、予め通信制御装置に記憶させておく。そして、ユーザは、所望のＳＩＰサーバを選択するコマンドを、電話機を介して通信制御装置に入力させる。すると、通信制御装置は、選択されたＳＩＰサーバを登録する。つまり、ユーザは電話機のみを使用してＳＩＰサーバを選択できるので、ＩＰ電話の操作性が向上する。
【０００８】
請求項２記載の通信制御装置は、請求項１記載の通信制御装置において、電話機に接続するための電話機インターフェイス部と、パーソナルコンピュータに接続するためのＬＡＮインターフェイス部と、通信ネットワークに接続するためのＷＡＮ（ｗｉｄｅ  ａｒｅａ  ｎｅｔｗｏｒｋ）側ＬＡＮインターフェイス部と、電話機からのコマンドを電話機インターフェイス部を介して入力するコマンド検出部と、パーソナルコンピュータからの複数のＳＩＰサーバに関する情報をＬＡＮインターフェイス部を介して入力して記憶するＳＩＰサーバ記憶部と、電話機インターフェイス部、ＬＡＮインターフェイス部、ＷＡＮ側ＬＡＮインターフェイス部、コマンド検出部及びＳＩＰサーバ記憶部を制御するとともに、ユーザによって選択されたＳＩＰサーバをコマンドに基づきＷＡＮ側ＬＡＮインターフェイス部を介して登録する制御部と、を備えたものである。このとき、制御部によって制御されるとともに、電話機の操作に応じて電話機へ確認音を送出する確認音源送出部を、更に備えてもよい（請求項３）。
【０００９】
ＩＥＴＦ標準の文書番号ＲＦＣ２５４３の規定に従ってＳＩＰサーバを登録する、としてもよい（請求項４）。また、コマンドがダイヤルパルス、ＭＦ（ｍｕｌｔｉ  ｆｒｅｑｕｅｎｃｙ）信号又はフック情報からなる、としてもよい（請求項５）。更に、通信ネットワークがＣＡＴＶやＡＤＳＬ等のブロードバンドネットワークである、としてもよい（請求項６）。
【００１０】
本発明に係るＩＰ電話の通信制御方法は、通信ネットワークと通常の電話機との間に接続されるとともに、通信ネットワーク側の登録されたＳＩＰサーバに電話機を接続するものである。そして、複数のＳＩＰサーバに関する情報を予め記憶しておくＳＩＰサーバ記憶ステップと、記憶された複数のＳＩＰサーバの中からいずれかをユーザが選択するコマンドを電話機から入力するコマンド入力ステップと、ユーザによって選択されたＳＩＰサーバを前記コマンドに基づき登録するＳＩＰサーバ登録ステップとを備えている（請求項７）。
【００１１】
本発明に係る通信制御プログラムは、通信ネットワークと通常の電話機との間に接続されるとともにコンピュータを有するＩＰ電話の通信制御装置に用いられ、通信ネットワーク側の登録されたＳＩＰサーバに電話機を接続するためのものである。そして、複数のＳＩＰサーバに関する情報を予め記憶しておくＳＩＰサーバ記憶ステップと、記憶された複数のＳＩＰサーバの中からいずれかをユーザが選択するコマンドを電話機から入力するコマンド入力ステップと、ユーザによって選択されたＳＩＰサーバを前記コマンドに基づき登録するＳＩＰサーバ登録ステップと、を通信制御装置のコンピュータに実行させることを特徴としている（請求項１１）。
【００１２】
ＳＩＰサーバ記憶ステップでは、複数のＳＩＰサーバに関する情報をパーソナルコンピュータから入力して記憶する、としてもよい（請求項８，１２）。また、ＳＩＰサーバ登録ステップでは、ＩＥＴＦ標準の文書番号ＲＦＣ２５４３の規定に従ってＳＩＰサーバを登録する、としてもよい（請求項９，１３）。更に、コマンドがダイヤルパルス、ＭＦ信号又はフック情報からなる、としてもよい（請求項１０，１４）。
【００１３】
換言すると、本発明のＩＰ電話の通信制御は、ＷＡＮ側をＡＤＳＬ（ａｓｙｍｍｅｔｒｉｃ  ｄｉｇｉｔａｌ  ｓｕｂｓｃｒｉｂｅｒ  ｌｉｎｅ）のようなブロードバンドネットワークに接続し、ＬＡＮ側に通常の電話機を収容できるＩＰ電話対応端末に関するのもであり、具体的には、ＩＰ電話対応端末と、ＩＰ電話対応端末からの登録要求を受け付ける複数のＳＩＰレジストリサーバとがあるとき、電話機からの制御によって、複数のＳＩＰサーバのいずれかとの接続を可能とするものである。ＩＰ電話対応端末は、電話機と接続するための電話機インターフェイスと、パーソナルコンピュータと接続するためのインターフェイスとして例えばＬＡＮインターフェイスと、ＣＡＴＶやＡＤＳＬ等のブロードバンドネットワークと接続するためのインターフェイスとしてＷＡＮ側ＬＡＮインターフェイスと、電話機インターフェイスを介して電話機から送出されるフック情報、ＭＦ信号又はダイヤルパルスを読み取る読み取り部と、電話機からの指示に対して可否を通知する音源と、ＳＩＰレジストリサーバを登録するレジスタ登録部と、上記各部を制御する制御部とを有する。
【００１４】
【発明の実施の形態】
以下、本発明に係る通信制御装置の実施形態について、図面を参照しつつ説明する。ただし、本発明に係る通信制御方法及び通信制御プログラムは、本発明に係る通信制御装置に使用されるものであるので、本発明に係る通信制御装置の実施形態を説明する中で同時に説明する。また、特許請求の範囲における「通信制御装置」「コマンド検出部」及び「通信ネットワーク」は、「ＩＰ電話対応端末」、「ＤＰ（ダイヤルパルス）／ＭＦ／フック検出部」及び「インターネット」と具体化して言い換える。
【００１５】
図１は、本発明に係るＩＰ電話対応端末の一実施形態を示すブロック図である。以下、この図面に基づき説明する。
【００１６】
ＩＰ電話対応端末１１は、インターネット１３と通常の電話機１０との間に接続されるとともに、インターネット１３側の登録されたＳＩＰサーバ（図示せず）に電話機１１を接続するものである。そして、ＩＰ電話対応端末１１は、複数のＳＩＰサーバに関する情報を予め記憶しておく機能と、記憶された複数のＳＩＰサーバの中からいずれかをユーザが選択するコマンドを電話機１０から入力する機能と、ユーザによって選択されたＳＩＰサーバをコマンドに基づき登録する機能とを備えている。これらの機能は、ソフトウェア及びハードウェアの少なくとも一方によって、実現することができる。また、ＩＰ電話対応端末１１とインターネット１３との間には、ＣＡＴＶモデム又はＡＤＳＬモデム等のブロードバンドモデム１２が接続されている。インターネット１３には、ディジタルコードレス子機１４，１５等が接続されている。
【００１７】
まず、複数のＳＩＰサーバに関する情報を、予めＩＰ電話対応端末１１に記憶させておく。そして、ユーザは、所望のＳＩＰサーバを選択するコマンドを、電話機１０を介してＩＰ電話対応端末１１に入力させる。すると、ＩＰ電話対応端末１１は、選択されたＳＩＰサーバを登録する。つまり、ユーザは電話機１０のみを使用してＳＩＰサーバを選択できるので、ＩＰ電話の操作性が向上する。
【００１８】
図２は、図１におけるＩＰ電話対応端末の構成の一例を示すブロック図である。以下、図１及び図２に基づき、ＩＰ電話対応端末の構成を説明する。
【００１９】
ＩＰ電話対応端末１１は、電話機１０に接続するための電話機インターフェイス部２１と、パーソナルコンピュータ１６に接続するためのＬＡＮインターフェイス部２２と、ブロードバンドモデム１２に接続するためのＷＡＮ側ＬＡＮインターフェイス部２３と、電話機１０からのコマンドを電話機インターフェイス部２１を介して入力するＤＰ／ＭＦ／フック検出部２４と、電話機の操作に応じて電話機１０へ確認音を送出する確認音源送出部２５と、パーソナルコンピュータ１６からの複数のＳＩＰサーバに関する情報をＬＡＮインターフェイス部２２を介して入力して記憶するＳＩＰサーバ記憶部２６と、電話機インターフェイス部２１、ＬＡＮインターフェイス部２２、ＷＡＮ側ＬＡＮインターフェイス部２３、ＤＰ／ＭＦ／フック検出部２４、確認音源送出部２５及びＳＩＰサーバ記憶部２６を制御する制御部２７とを備えている。制御部２７は、ユーザによって選択されたＳＩＰサーバを、ＷＡＮ側ＬＡＮインターフェイス部２３を介して、コマンドに基づき登録する。
【００２０】
換言すると、ＩＰ電話対応端末１１は、通信相手と音声通話を行う目的及びＳＩＰサーバの設定制御を行う目的で電話機１０を接続するための電話機インターフェイス部２１と、ＳＩＰサーバのアドレス、パスワード、ＩＤ番号等のＳＩＰサーバの設定情報を設定する目的でパーソナルコンピュータ１６を接続するためのＬＡＮインターフェイス部２２と、ＣＡＴＶやＡＤＳＬ等のブロードバンドネットワークを介してＳＩＰサーバとの間でコマンド及びレスポンスを送受するためのＷＡＮ側ＬＡＮインターフェイス部２３と、電話機１０から送出されるフック情報、ＭＦ信号又はダイヤルパルスを読み取るＤＰ／ＭＦ／フック検出部２４と、電話機１０からの指示に対して可否を通知する確認音源送出部２５と、複数のＳＩＰサーバを記憶するＳＩＰサーバ記憶部２６と、上記各部を制御する制御部２７とを有する。
【００２１】
図３は、図１におけるＩＰ電話対応端末の動作の一例を示すシーケンス図である。以下、図１乃至図３に基づき、ＩＰ電話対応端末の動作を説明する。
【００２２】
まず、ユーザは、パーソナルコンピュータ１６を使って、複数のＳＩＰサーバの情報を予めＳＩＰサーバ記憶部２６に記憶させておく。続いて、ＩＰ電話対応端末１１をインターネット１３に接続する。インターネット１３への接続は、Ｂｉｇｌｏｂｅ（登録商標）等のインターネット接続事業者にログインすることにより完了する。
【００２３】
続いて、ユーザは、ＩＰ電話対応端末１１に接続した電話機１０を使って、どのＳＩＰサーバを使用するかを決定する。つまり、電話機１０を使って、予め決められたコマンドに従ってＳＩＰサーバ１又はＳＩＰサーバ２等を選択する。この選択は、電話機１０からダイヤル情報を送出することにより行われる。例えば“１”はＳＩＰサーバ１、“２”はＳＩＰサーバ２という具合である。ここで、コマンドとダイヤル情報とを区別するために、電話機１０がＭＦに対応していれば、コマンドの番号の前に“＃”等の区別用の情報を付加することが望ましい。また、ダイヤルパルス対応の場合は、フックフラッシュを使用することもできる。
【００２４】
このコマンドが、電話機１０から電話機インターフェイス部２１を介して、ＤＰ／ＭＦ／フック検出部２４に伝送される。すると、制御部２７は、ＤＰ／ＭＦ／フック検出部２４からの情報に基づき、ＳＩＰサーバ記憶部２６の情報を照会しながら、どのＳＩＰサーバを使用するかを判断する。そして、制御部２７は、ユーザの指定したＳＩＰサーバに対して、登録作業を行う。この登録作業はＲＦＣ２５４３の規格に従う。登録が完了したら、ＩＰ電話対応端末１１は、確認音源送出部２５より、登録完了を意味する予め決められた音源を送出する。なお、登録が失敗した場合は、登録失敗を意味する予め決められた音源を送出する。
【００２５】
続いて、電話機１０から異なるＳＩＰサーバへの登録指示が来た場合、一度これまで登録していたＳＩＰサーバを削除する。この削除作業はＲＦＣ２５４３に規定されている。削除が完了したら、新しいＳＩＰサーバへの登録を行う。
【００２６】
ここでは何も登録されていない状態からのＳＩＰサーバ登録について説明してきたが、一般にはＩＰ電話対応端末１１は電源をオンした段階でＳＩＰサーバ登録を行う場合が多い。電源オンと同時にＳＩＰサーバ登録を行う場合、図３に示す「サーバ２登録」から始まる。
【００２７】
なお、本発明は、言うまでもなく、上記実施形態に限定されない。例えば、上記実施形態ではＷＡＮ側ＬＡＮインターフェイスを介してブロードバンドルータに接続しているが、ＡＤＳＬ又はＣＡＴＶ、ケーブルメディア等のブロードバンドルータを内蔵した場合も本発明に係るＩＰ電話対応端末は同様に動作する。
【００２８】
【発明の効果】
本発明に係る通信制御装置等によれば、複数のＳＩＰサーバに関する情報を予め記憶しておき、これらのＳＩＰサーバの中からいずれかをユーザが選択するコマンドを電話機から入力し、選択されたＳＩＰサーバを登録することにより、ユーザが電話機のみを使用してＳＩＰサーバを選択できるので、ＩＰ電話の操作性を向上することができる。
【００２９】
換言すると、これまでこの種のＩＰ電話対応端末は、単数のＳＩＰサーバのみが登録可能であり、複数のＳＩＰサーバを登録することができなかった。そこで、本発明では、予め複数のＳＩＰサーバを記憶しておき、電話機からの制御によって使用するＳＩＰサーバを選択できるようにした。
【図面の簡単な説明】
【図１】本発明に係るＩＰ電話対応端末の一実施形態を示すブロック図である。
【図２】図１におけるＩＰ電話対応端末の構成の一例を示すブロック図である。
【図３】図１におけるＩＰ電話対応端末の動作の一例を示すシーケンス図である。
【符号の説明】
１０  電話機
１１  ＩＰ電話対応端末（通信制御装置）
１２  ブロードバンドモデム
１３  インターネット（通信ネットワーク）
１６  パーソナルコンピュータ
２１  電話機インターフェイス部
２２  ＬＡＮインターフェイス部
２３  ＷＡＮ側ＬＡＮインターフェイス部
２４  ＤＰ／ＭＦ／フック検出部（コマンド検出部）
２５  確認音源送出部
２６  ＳＩＰサーバ記憶部
２７  制御部
【図１】
2004222147.tif 000003
【図２】
2004222147.tif 000004
【図３】
2004222147.tif 000005